(57)【要約】【課題】食器類の支持スペースを効率よく使用して大きさの異なる食器類を安定して支持することができる食器かごを備える食器洗浄機を提供する。【解決手段】食器かご１０は、洗浄槽３に収容される基枠１３と、基枠１３上に設けられて複数の食器類を横倒姿勢で配列して支持可能な食器支持部材２８とを備える。基枠１３は、食器支持部材２８によって支持される食器類の径方向に沿って水平方向に延びて、食器支持部材２８を水平方向の任意の位置に配置可能とする支持部材移動手段２９ａ，２９ｂを備え、食器支持部材２８は、支持部材移動手段２９ａ，２９ｂ上に複数設けられている。【選択図】図２
2020078481.tif 000002
【特許請求の範囲】
【請求項１】
洗浄槽と、該洗浄槽の内部に設けて食器類を支持する食器かごとを備える食器洗浄機において、
前記食器かごは、前記洗浄槽に収容される基枠と、該基枠上に設けられて複数の食器類を横倒姿勢で配列して支持可能な食器支持部材とを備え、
前記基枠は、前記食器支持部材によって支持される食器類の径方向に沿って水平方向に延びて、前記食器支持部材を前記水平方向の任意の位置に配置可能とする支持部材移動手段を備え、
前記食器支持部材は、前記支持部材移動手段上に複数設けられていることを特徴とする食器洗浄機。
【請求項２】
前記支持部材移動手段は、前記食器支持部材を水平方向に移動自在とするレールであることを特徴とする請求項１記載の食器洗浄機。
【請求項３】
前記食器支持部材は、該食器支持部材の移動方向に向かって突出する掛止爪を備え、
該掛止爪は、径方向を前記支持部材移動手段の延設方向と交差する方向に向けた他の横倒姿勢とされた食器類の縁部が掛止可能となる形状とされていることを特徴とする請求項１又は２記載の食器洗浄機。
【発明の詳細な説明】
【技術分野】
【０００１】
本発明は、食器類を支持する食器かごを内部に備える食器洗浄機に関する。
【背景技術】
【０００２】
食器洗浄機は、洗浄槽と、洗浄槽内に食器類を支持する食器かごとを備えている。食器洗浄機によって洗浄が行われる食器類としては、大皿、中鉢、小皿、椀、或いは、調理容器（フライパンや鍋）等、夫々形状の異なるものが挙げられる。これらの食器類は、食器かごに設けられている複数の支持棒間や支持ピン間に差し込むようにセットすることにより食器かごに支持され、この状態で洗浄槽に収容されることによって洗浄が行われる。
【０００３】
食器かごは、高さ寸法や屈曲形状の異なる支持棒や支持ピンを多数備え、支持棒や支持ピンの大きさや間隔等によって、所定の食器を支持する領域が略決められている。
【０００４】
ところで、食器類の大きさや種類によっては、何れの支持領域にも合致せず、やむを得ず故意に誤った位置に食器をセットしたり、形状の異なる食器同士を不規則に混在させて食器かごにセットしたりする場合がある。しかし、この場合には、洗浄水が適切に各食器に当たらない状態となって洗浄効率が低下するおそれがある。
【０００５】
そこで、食器かごの一部において、隣り合う支持棒同士の間隔（食器の深さ方向の支持間隔）を変更可能とした食器かごが提案されている（下記特許文献１参照）。しかし、支持棒の間隔を変更した場合には、皿等の深さ寸法の大小に対して対応可能となるのみであり、食器類の外径の大小には殆どの場合対応できず、食器同士が干渉したり食器と洗浄槽の内壁面とが干渉したりして、食器を安定して支持できない不都合がある。
【０００６】
また、これ以外には、小物入れを移動自在に設け、小物入れが一部の載置頻度の少ない食器類等を支持する支持部材を覆うようにした食器かごが提案されている（下記特許文献２参照）。
【０００７】
このものでは、載置頻度の少ない食器類等を支持するときに、小物入れを移動させて、載置頻度の少ない食器類等を支持する支持部材を露出させるようにしている。しかし、小物入れは、箸やスプーン等を立てて支持するために比較的小型に形成されており、食器かご上で覆い隠すことができる面積は比較的小さい。従って、食器かご上で小物入れを移動させても、例えば、外径の大きな食器類を当該位置に支持することは困難である。
【先行技術文献】
【特許文献】
【０００８】
【特許文献１】特開２００７−３１９４８６号公報
【特許文献２】特開２０１４−８３２２０号公報
【発明の概要】
【発明が解決しようとする課題】
【０００９】
上記の点に鑑み、本発明は、食器類の支持スペースを効率よく使用して大きさの異なる食器類を安定して支持することができる食器かごを備える食器洗浄機を提供することを目的とする。
【課題を解決するための手段】
【００１０】
かかる目的を達成するために、本発明は、洗浄槽と、該洗浄槽の内部に設けて食器類を支持する食器かごとを備える食器洗浄機において、前記食器かごは、前記洗浄槽に収容される基枠と、該基枠上に設けられて複数の食器類を横倒姿勢で配列して支持可能な食器支持部材とを備え、前記基枠は、前記食器支持部材によって支持される食器類の径方向に沿って水平方向に延びて、前記食器支持部材を前記水平方向の任意の位置に配置可能とする支持部材移動手段を備え、前記食器支持部材は、前記支持部材移動手段上に複数設けられていることを特徴とする。
【００１１】
本発明によれば、外径が比較的大きな食器を食器支持部材に支持したとき、その食器の外周縁が他の食器や洗浄槽の内壁面に干渉しない位置に各食器支持部材を配置させることで、外径が比較的大きな食器に合わせた支持スペースに広げることができる。
【００１２】
よって、食器類の支持スペースを効率よく使用して、比較的大きな外径を有する食器類であっても容易に支持することができる。
【００１３】
また、本発明において、前記支持部材移動手段は、前記食器支持部材を水平方向に移動自在とするレールであることが好ましい。
【００１４】
支持部材移動手段としてレールを採用することで、食器支持部材に食器を支持させた状態でレールに沿ってスライドさせるだけで、所望の位置に食器支持部材を配置させることができる。これにより、食器支持部材に支持した食器類の外径に合わせて各食器支持部材をスライド移動させて各食器支持部材の位置及び支持スペースを容易に調整することができる。
【００１５】
また、本発明において、前記食器支持部材は、該食器支持部材の移動方向に向かって突出する掛止爪を備え、該掛止爪は、径方向を前記支持部材移動手段の延設方向と交差する方向に向けた他の横倒姿勢とされた食器類の縁部が掛止可能となる形状とされていることが好ましい。
【００１６】
食器支持部材の移動方向に向かって突出する掛止爪を設けることにより、食器支持部材を移動させて広げたスペースに他の食器類（例えばフライパン等の外径の大きな調理器具）を支持させることができる。
【００１７】
掛止爪は、他の横倒姿勢（即ち、食器支持部材に配列される食器類の向きと異なる向き）で食器類の縁部が掛止可能となる形状であるので、掛止爪によって支持される食器類は、食器支持部材に複数配列される食器類と異なる向きとなる。これにより、食器支持部材に複数配列されている食器類に対する洗浄を阻害することのない姿勢で比較的大型の食器類（例えばフライパン等）を支持することができる。よって、本発明によれば、食器類の支持スペースを一層効率よく使用することができる。
【図面の簡単な説明】
【００１８】
【図１】本発明の実施形態の食器洗浄機の構成を模式的に示す説明図。
【図２】食器かごを示す平面図。
【図３】図２の食器かごに食器類を支持した状態を示す平面図。
【図４】食器支持部材を移動した状態の食器かごを示す平面図。
【図５】図４の食器かごに食器類を支持した状態を示す平面図。
【図６】食器支持部材を示す斜視図。
【図７】食器支持部材とレール及び基枠の横架材を示す説明的断面図。
【図８】食器支持部材の掛止爪と基枠の横架材との位置関係を示す説明図。
【発明を実施するための形態】
【００１９】
本発明の実施形態を図面に基づいて説明する。図１に示す本実施形態の食器洗浄機１は、システムキッチンに組み込んで設置されるビルトイン式のものであり、食器洗浄機１の筐体２は、前方が開放されて洗浄槽３を出し入れ自在に収容している。
【００２０】
洗浄槽３の底部側には、洗浄水を噴出する洗浄ノズル４が設けられており、洗浄槽３の背面側には洗浄槽３内の食器を乾燥させるための乾燥用空気を導入する乾燥ダクト５及び乾燥ファン６が設けられている。
【００２１】
更に、洗浄槽３の底部には、洗浄槽３内に残菜フィルタ７を介して連通する洗浄水の溜り部８が設けられている。洗浄槽３の底部下側には、溜り部８に連通する洗浄・排水ポンプ９が設置されている。洗浄・排水ポンプ９は、正転させることにより洗浄ノズル４に洗浄水を供給し、逆転させることにより洗浄槽３からの排水を行う。
【００２２】
洗浄槽３には、食器を支持するための食器かご１０が着脱自在に取り付けらている。前記洗浄ノズル４は、食器かご１０より下方に位置して水平方向に長手の下ノズル１１と、下ノズル１１の長手方向中央部に立設されたセンターノズル１２とにより構成されている。
【００２３】
下ノズル１１は、その長手方向中央部で鉛直軸線回りに旋回しつつ食器かご１０に向けて洗浄水を噴出する。下ノズル１１は、洗浄・排水ポンプ９から供給される洗浄水の噴出反力によって旋回するようになっている。
【００２４】
センターノズル１２は下ノズル１１と一体に回転する下半部１２ａと、この下半部１２ａに上下動自在に挿設された上半部１２ｂとで構成されている。洗浄・排水ポンプ９から洗浄水が供給されたとき、センターノズル１２は下ノズル１１と共に旋回しつつ水圧によって上半部１２ｂが上方に延びるようになっている。そして、センターノズル１２の下半部１２ａ及び上半部１２ｂから食器かご１０に向けて洗浄水が噴出される。
【００２５】
ここで、本発明の要旨となる食器かご１０について詳細に説明する。食器かご１０は、図２に示すように、樹脂でコーティングされた金属製線材によって形成された基枠１３と、合成樹脂製によって形成された箱形状の小物立て１４とを備えている。小物立て１４には、図示しないが、スプーン、フォーク、箸等を立てられる。
【００２６】
食器かご１０には、図３に示すように、夫々形状の異なる食器である大皿Ｗａ、椀Ｗｂ、小皿Ｗｃ、中鉢Ｗｄを各別に集約して支持する領域が設定されている。
【００２７】
即ち、食器かご１０は、大皿Ｗａを支持するための領域である大皿支持部１５と、椀Ｗｂを支持する領域である椀支持部１６と、小皿Ｗｃを支持する領域である小皿支持部１７と、中鉢Ｗｄを支持する領域である中鉢支持部１８とに区分されている。
【００２８】
食器かご１０の中央部には、図２に示すように、センターノズル１２と各食器（大皿Ｗａ、椀Ｗｂ、小皿Ｗｃ、中鉢Ｗｄ）との干渉を避けてセンターノズル１２を挿通させるノズル用開放枠部１９が形成されている。
【００２９】
図２に示すように、大皿支持部１５は、樹脂でコーティングされた金属製の複数の支持棒２１によって形成されている。各支持棒２１は基枠１３に取り付けた合成樹脂製の大皿支持枠２２に回転自在に支持された回転軸２３を介して連結されており、各支持棒２１を互いに向き合う方向に倒すことができるようになっている。各支持棒２１は２本１組で大皿Ｗａの裏面に当接し、大皿Ｗａを各組の支持棒２１間に差し込むようにセットすることで、大皿Ｗａを横向きに立てた状態（横倒姿勢）で支持するようになっている。
【００３０】
小皿支持部１７は、ノズル用開放枠部１９と一体の小皿支持枠２４と、小皿支持枠２４に一体に形成された複数の小皿用支持ピン２５とを備え、各小皿用支持ピン２５が２本１組で小皿Ｗｃを横向きに立てた状態（横倒姿勢）で支持するようになっている。
【００３１】
中鉢支持部１８は、小皿支持部１７の小皿支持枠２４に隣接する中鉢支持枠２６と、中鉢支持枠２６に一体に形成された複数の中鉢用支持ピン２７とを備え、各中鉢用支持ピン２７が２本１組で中鉢Ｗｄの開口縁を掛止して横向きに立てた状態（横倒姿勢）で支持するようになっている。
【００３２】
椀支持部１６は、複数（本実施形態では３つ）の同一形状の椀支持枠２８を備えている。椀支持枠２８は何れも本発明の食器支持部材に相当する。椀支持部１６は、一対のレール２９ａ，２９ｂにより基枠１３からの外れが防止されていると共に、両レール２９ａ，２９ｂに沿って移動自在に設けられている。
【００３３】
両レール２９ａ，２９ｂは、基枠１３の一側縁の略全長にわたって設けられている。一方のレール２９ａは、基枠１３の一側縁に固定された合成樹脂製の部材により設けられ、他方のレール２９ｂは、ノズル用開放枠部１９及び小皿支持枠２４の一側壁に形成されている。レール２９ａ，２９ｂは、本発明における支持部材移動手段として採用したものである。
【００３４】
椀支持枠２８は、椀支持部１６の領域内において、レール２９ａ，２９ｂの延設方向に沿って移動させることができるようになっている。即ち、図２に示す椀支持枠２８の位置は、互いに等間隔になっているが、図４に示す位置に椀支持枠２８を移動させることで、図５に示すように、外径が少し大きな椀Ｗeを、椀Ｗe同士で干渉することなく安定的に支持することができる。
【００３５】
図６に示すように、椀支持枠２８は、一体に形成された複数の椀用支持ピン３０を備え、椀用支持ピン３０が２本１組で椀Ｗｂ（又は椀Ｗe）の開口縁を掛止することで、椀Ｗｂ（又は椀Ｗe）を横向きに立てた状態で支持するようになっている。
【００３６】
また、椀支持枠２８は、レール２９ａ，２９ｂ側に面する各側縁に一対ずつ摺接部３１を備えている。摺接部３１は、図７に示すように、レール２９ａ，２９ｂに摺接する。図６及び図７に示すように、摺接部３１の先端には、レール２９ａ，２９ｂの縦内壁面に接する小突起３２が形成されている。摺接部３１の上面には、レール２９ａ，２９ｂの上内壁面に接する薄突片３３が形成されている。
【００３７】
小突起３２と薄突片３３とは、何れもレール２９ａ，２９ｂとの接触面積が小さく、これによって、レール２９ａ，２９ｂに沿って摺接部３１が動くときに摩擦抵抗を小さくして椀支持枠２８をスムーズに移動させることができる。
【００３８】
図７に示すように、椀支持枠２８の下方には、基枠１３に設けられてレール２９ａ，２９ｂに沿って延びる横架材３４にも接する。横架材３４は、レール２９ａ，２９ｂと平行に複数本設けられて基枠１３を補強しているが、椀支持枠２８が横架材３４上に載った状態で摺動することで、椀支持枠２８の歪みも防止される。
【００３９】
更に、椀支持枠２８における横架材３４との接触位置には、凹部３５が形成されている。これにより、椀支持枠２８が移動しているときの、椀支持枠２８がレール２９ａ，２９ｂに対して斜めになること等が防止される。よって、椀支持枠２８の移動時の姿勢を安定させて椀支持枠２８を円滑に移動させることができる。
【００４０】
また、図６に示すように、椀支持枠２８の移動方向の両側面には夫々水平方向に突出する掛止爪３６が一対ずつ設けられている。椀支持枠２８はレール２９ａ，２９ｂに沿った方向であれば移動自在であるため、椀支持枠２８同士の間隔を部分的に広くすることが可能である。そしてこのような広い間隔のスペースを利用してフライパンＷｆ等の比較的大きな食器類（調理容器）を支持させるとき、掛止爪３６に縁部を掛止して支持することができる。
【００４１】
このとき、図８に示すように、２つの掛止爪３６の中央と２つの横架材３４の中央とが略同一鉛直線x上に位置するように掛止爪３６を設けると共に、２つの横架材３４の中心間の間隔寸法ａよりも、２つの掛止爪３６の外側縁間の間隔寸法ｂが大きくなるように掛止爪３６を設けることが好ましい。
【００４２】
これによれば、径方向をレール２９ａ，２９ｂの延設方向と交差する方向に向けた他の横倒姿勢のフライパンＷｆ等が周方向に転がることなく掛止爪３６による良好な掛止状態が得られ、しかも、フライパンＷｆ等の荷重を横架材３４が受けることにより、椀支持枠２８の歪みを防止して確実な掛止状態を得ることができる。
【００４３】
なお、本実施形態においては、３つの椀支持枠２８を移動自在としたものを食器支持部材として挙げたが、複数の食器支持部材の夫々が十分に移動できるスペースがあれば、本発明の食器支持部材は３つに限るものではない。
【００４４】
また、本実施形態においては、本発明における支持部材移動手段としてレール２９ａ，２９ｂを採用したが、本発明における支持部材移動手段はレール２９ａ，２９ｂに限るものではない。例えば、図示しないが、レール２９ａ，２９ｂに替えて、上部に短いクシ状のピンが複数立設された保持部材を設け、食器支持部材（椀支持枠２８）を任意の位置で保持可能としてもよい。
【００４５】
また、本実施形態においては、椀支持部１６の領域内に設けた椀支持枠２８を食器支持部材の例として挙げたが、食器支持部材を移動自在に設ける領域や当該食器支持部材が支持する食器類は、本実施形態のものに限らない。
【符号の説明】
【００４６】
Ｗａ，Ｗｂ，Ｗｃ，Ｗｄ，Ｗｅ，Ｗｆ…食器類、１…食器洗浄機、３…洗浄槽、１０…食器かご、１３…基枠、２８…椀支持枠（食器支持部材）、２９ａ，２９ｂ…レール、３６…掛止爪。
【図１】
2020078481.tif 000003
【図２】
2020078481.tif 000004
【図３】
2020078481.tif 000005
【図４】
2020078481.tif 000006
【図５】
2020078481.tif 000007
【図６】
2020078481.tif 000008
【図７】
2020078481.tif 000009
【図８】
2020078481.tif 000010